(57)【要約】【課題】施工が非常に安全で、工期を大幅に短縮可能な外断熱パネルを用いた施工方法を提供すること。【解決手段】柱２０及び梁２１に囲まれてなる開口面２に嵌まり込む面用断熱板１０と、面用断熱板１０の裏面側周端部に沿って固定された枠体１３と、面用断熱板１０の側端部に展開可能な柱用断熱板１１と、面用断熱板１０の表面に着脱可能な梁用断熱板１２とを備えた外断熱パネル１を準備し、柱２０及び梁２１を施工して、開口面２を有する未完建物を構築し、柱用断熱板１１を面用断熱板１０に閉じて、梁用断熱板１２を面用断熱板１０に貼り付けた状態で、外断熱パネル１を未完建物の屋内に搬入し、外断熱パネル１を屋内側から建てて、その状態で、面用断熱板１０を屋外側にして開口面２に嵌め込み、柱用断熱板１１を面用断熱板１０の側端部から展開して隣接する柱２０に取り付け、梁用断熱板１２を面用断熱板１０の表面から取り外して隣接する梁２１に取り付ける。【選択図】図４
2009161979.tif 000002
【特許請求の範囲】
【請求項１】
柱（２０）及び梁（２１）に囲まれてなる開口面（２）に嵌まり込む面用断熱板（１０）と、前記面用断熱板の裏面側周端部に沿って固定された枠体（１３）と、前記面用断熱板の側端部に展開可能な柱用断熱板（１１）と、前記面用断熱板の表面に着脱可能な梁用断熱板（１２）とを備えた外断熱パネル（１）を準備し、
前記柱及び前記梁を施工して、前記開口面を有する未完建物を構築し、
前記柱用断熱板を前記面用断熱板に閉じて、前記梁用断熱板を前記面用断熱板に貼り付けた状態で、前記外断熱パネルを前記未完建物の屋内（２２）に搬入し、
前記外断熱パネルを前記屋内（２２）側から建てて、その状態で、前記面用断熱板を屋外（２３）側にして前記開口面に嵌め込み、
前記柱用断熱板を前記面用断熱板の側端部から展開して隣接する前記柱に取り付け、
前記梁用断熱板を前記面用断熱板の表面から取り外して隣接する前記梁に取り付ける、
ことを特徴とする施工方法。
【請求項２】
前記柱用断熱板（１１）は、前記面用断熱板（１０）の一側端部（１０ａ）に沿って延設され、気密テープ（１５）で前記面用断熱板と連結されてなることを特徴とする請求項１に記載の施工方法。
【請求項３】
前記外断熱パネルは、前記開口面と同一面形状の構造用面材（１４）を備えていることを特徴とする請求項１又は２に記載の施工方法。
【発明の詳細な説明】
【技術分野】
【０００１】
本発明は、外断熱パネルを用いて木造建物を施工する方法に関する。
【背景技術】
【０００２】
周知の通り、木造建物を施工する方法として、建物の強度の一部を壁（パネル）で負担する枠組壁工法（ツーバイフォー工法）がある。この工法は、柱と梁の間に形成される開口面に構造用面材を固定するものであるから、面剛性が高まり強度に優れる利点がある。さらに、断熱性を向上させるために、構造用面材に断熱板を貼り付ける断熱パネルがある。この断熱パネルは、構造用面材の裏面側に断熱板を貼るタイプ（内断熱パネル）と、表面側に断熱板を貼るタイプ（外断熱パネル）とがある。外断熱パネルを用いると、柱や梁も含めて覆うようになっているので、断熱性が高いというメリットがある。
【０００３】
従来の外断熱パネルは、柱と梁の間に形成される開口面よりも大きな断熱板を、構造用面材の表面側に貼り付けただけのものである（例えば特許文献１および特許文献２参照）。これにより、断熱板が柱および梁を覆うようになっている。
【０００４】
しかし、この外断熱パネルは、開口面よりも大きな断熱板が取り付けられているので、屋内側から開口面に嵌め込むことはできず、屋外側から嵌め込んで取り付ける作業を行っている。この外断熱パネルは重量物であるため、特に二階部分等の高所の開口面に対して、屋外から嵌め込む作業は非常に危険が伴う。さらに、多数の作業者を要するので、施工性に劣るという問題がある。
【特許文献１】特開平６−２６４５３３号公報
【特許文献２】特開２００４−２０４４６０号公報
【発明の開示】
【発明が解決しようとする課題】
【０００５】
そこで、本発明が解決しようとする課題は、施工が非常に安全で、工期を大幅に短縮可能な外断熱パネルを用いた木造建物の施工方法を提供することである。
【課題を解決するための手段】
【０００６】
本発明に係る施工方法は、
柱及び梁に囲まれてなる開口面に嵌まり込む面用断熱板と、面用断熱板の裏面側周端部に沿って固定された枠体と、面用断熱板の側端部に展開可能な柱用断熱板と、面用断熱板の表面に着脱可能な梁用断熱板とを備えた外断熱パネルを準備し、
柱及び梁を施工して、開口面を有する未完建物を構築し、
柱用断熱板を面用断熱板に閉じて、梁用断熱板を面用断熱板に貼り付けた状態で、外断熱パネルを未完建物の屋内に搬入し、
外断熱パネルを屋内側から建てて、その状態で、面用断熱板を屋外側にして開口面に嵌め込み、
柱用断熱板を面用断熱板の側端部から展開して隣接する柱に取り付け、
梁用断熱板を面用断熱板の表面から取り外して隣接する梁に取り付ける。
【０００７】
好ましくは、柱用断熱板は、面用断熱板の一側端部に沿って延設され、気密テープで面用断熱板と連結されてなる。
【０００８】
好ましくは、外断熱パネルは、開口面と同一面形状の構造用面材を備えている。
【発明の効果】
【０００９】
本発明は、上記の通り、外断熱パネルを屋内側から建てて、開口面に嵌め込み固定することができるので、二階部分等高所の開口面に嵌め込む場合であっても、屋外での建てこみ作業がないので、極めて安全かつ少数の作業者で行うことができる。さらに、この開口面に固定された外断熱パネルから、柱用断熱板を隣接する柱に、梁用断熱板を隣接する梁に、簡単に取り付けることができるので、取付け箇所を間違えることがなく、非常に施工性に富んだ施工方法となっている。これにより、高い安全性を確保できると共に、工期を大幅に短縮できる。
【発明を実施するための最良の形態】
【００１０】
以下、図面に基づいて、本発明に係る施工方法について説明する。
【００１１】
図１は、外断熱パネルを示す斜視図で、（ａ）は表面側、（ｂ）は裏面側を表す。図２は、外断熱パネルを開口面に取付ける様子を屋内側から観た斜視図である。図３は、外断熱パネルを取付けた未完建物を屋外側から観た斜視図である。図４は、外断熱パネルを開口面に取付けた状態を示し、（ａ）は屋外側から観た正面図、（ｂ）は（ａ）のＩ−Ｉ線断面図である。図５は、複数の外断熱パネルを積み重ねた状態を示す図である。
【００１２】
図１の通り、外断熱パネル１を予め工場等で作製して準備する。図２の通り、柱２０および梁２１に囲まれてなる開口面２に対して、この外断熱パネル１が、嵌め込み固定されるようになっている。従って、複数の外断熱パネル１が、設計図面等に基づいて、それぞれ各開口面２に嵌め込み可能なように予め作製される。
【００１３】
外断熱パネル１は、面用断熱板１０を備える。面用断熱板１０は、開口面２と同一面形状で構成されている。
【００１４】
外断熱パネル１は、面用断熱板１０の表面１０ｃに柱用断熱板１１を備える（図１（ａ））。柱用断熱板１１は、面用断熱板１０の一側端部１０ａ側に沿って設けられている。柱用断熱板１１は、面用断熱板１０に対して展開可能（開閉可能）に構成されている。後述するが、柱用断熱板１１は、気密テープ等の連結手段で面用断熱板１０と連結されている（図４）。図１（ａ）は、柱用断熱板１１が閉じた状態である。
【００１５】
外断熱パネル１は、面用断熱板１０の表面１０ｃに梁用断熱板１２を備える（図１（ａ））。梁用断熱板１２は、面用断熱板１０の他側端部１０ｂ側に設けられている。面用断熱板１０は、テープ等の連結手段で、面用断熱板１０と着脱可能に貼り付けられている（図４）。
【００１６】
外断熱パネル１は、面用断熱板１０の裏面に構造用面材１４を備える。構造用面材１４は、外断熱パネル１と同一面形状で構成されている。なお、外断熱パネル１を嵌め込む開口面２の箇所に応じて、構造上不要な場合は、構造用面材１４を省略する。
【００１７】
外断熱パネル１は、枠体１３を備える（図１（ｂ））。枠体１３は、面用断熱板１０の裏面側周端部に沿って固定されている。従って、枠体１３は、開口面２に嵌まり込むようになっている。構造用面材１４がある場合は、構造用面材１４を介して固定される。
【００１８】
図２の通り、梁２０および柱２１が施工された未完建物の屋内２２に、外断熱パネル１を搬入する。そして、外断熱パネル１を屋内２２で建てる。その状態で、外断熱パネル１を裏面側（枠体１３側）が屋内２２側になるように、開口面２に嵌め込む。そして、枠体１３を柱２０および梁２１に釘等の連結手段を介して連結して（図４（ｂ））、外断熱パネル１を開口面２に固定する。
【００１９】
図３の通り、外断熱パネル１は、表面側（面用断熱板１０側）が屋外２３側になって固定される。そして、外断熱パネル１は、柱２０および梁２１の屋外側面２０ａ，２１ａに対して、面用断熱板１０のみが張り出すようになっている。
【００２０】
図４（ａ）の通り、面用断熱板１０の寸法構成は、開口面２の縦寸法Ｈ１および横寸法Ｗ０と同一である。柱用断熱板１１の寸法構成は、開口面２の縦寸法Ｈ１、柱１１の横寸法Ｗ１と同一である。梁用断熱板１２の寸法構成は、梁２１の縦寸法Ｈ２、開口面２の横寸法Ｗ０と柱２０の横寸法Ｗ１とを合せた横寸法Ｗ２と同一である。図４（ｂ）の通り、面用断熱板１０、柱用断熱板１１および梁用断熱板１２は、それぞれ同一厚ｔである。
【００２１】
図４の通り、外断熱パネル１を開口面２に嵌め込み固定した状態で、柱用断熱板１１を面用断熱板１０から展開して、横側に隣接する柱２０に連結固定する。さらに、梁用断熱板１２を面用断熱板１０から取り外して、上側に隣接する梁２１に連結固定する。梁用断熱板１２は、面用断熱板１０等の上端部に沿って固定される。柱用断熱板１１および梁用断熱板１２は、釘や接着剤等の連結手段を介して柱２０および梁２１に固定される。
【００２２】
図４（ｂ）の通り、面用断熱板１０は、柱２０の屋外側面２０ａから張り出しているので、柱用断熱板１１を開くことにより、簡単に柱２０に固定できる。さらに、気密テープ１５によって気密性が確保される。そして、梁用断熱板１２を梁２１に固定した後、気密テープ等によって面用断熱板１０等との隙間を塞いで、気密性を確保する。これにより、柱２０および梁２１をも断熱板で覆う外断熱を可能とする。
【００２３】
このように、屋外２３側での施工は、柱用断熱板１１および梁用断熱板１２を開いたり固定する簡単な作業だけなので、作業者の安全性に富むと共に、一人でも作業できるので工期を大幅に短縮できる。さらに、所定の開口面２に対して、所定の外断熱パネル１を嵌め込むようになっており、隣接して必要な柱用断熱板１１および梁用断熱板１２が、面用断熱板１０に両面テープ等で一体に連結されているので、作業者は、間違えることなくこれら１１，１２を所定の箇所に移動、固定することができるから、施工性に優れ、施工ミスを防止できる。
【００２４】
なお、柱用断熱板１１は、必要に応じて、面用断熱板１０の両側端部１０ａ，１０ｂに設けてもよく、側端部１０ａ，１０ｂの全長に限らず一部分でもよい。
【００２５】
さらに、図５の通り、外断熱パネル１は、搬入状態において、同一厚ｔの柱用断熱板１１および梁用断熱板１２が、面用断熱板１０の一側端部１０ａ側と他側端部１０ｂ側に連結されているので、複数の外断熱パネル１を傾くことなく積み重ねることができる。これにより、効率的な搬入、仮置き作業を可能とする。
【図面の簡単な説明】
【００２６】
【図１】外断熱パネルを示す斜視図で、（ａ）は表面側、（ｂ）は裏面側を表す。
【図２】外断熱パネルを開口面に取付ける様子を屋内側から観た斜視図である。
【図３】外断熱パネルを取付けた未完建物を屋外側から観た斜視図である。
【図４】外断熱パネルを開口面に取付けた状態を示し、（ａ）は屋外側から観た正面図、（ｂ）は（ａ）のＩ−Ｉ線断面図である。
【図５】複数の外断熱パネルを積み重ねた状態を示す図である。
【符号の説明】
【００２７】
１  外断熱パネル
１０  面用断熱板
１１  柱用断熱板
１２  梁用断熱板
１３  枠体
１４  構造用面材
２  開口面
２０  柱
２１  梁
２２  屋内
２３  屋外
【図１】
2009161979.tif 000003
【図２】
2009161979.tif 000004
【図３】
2009161979.tif 000005
【図４】
2009161979.tif 000006
【図５】
2009161979.tif 000007